(57)【要約】      （修正有）【課題】新規なトランプ形カレンダーを提供する。【解決手段】このトランプ形カレンダーは、一組のトランプカードに一年間の週めくりカレンダーを表示している。更に、所望により、このトランプ形カレンダーは、拡販品としたり、特徴ある小判形状にしたり、スケジュール管理手帳として使用したり、加除式カレンダーとすることも出来る。【選択図】図１
0003138025.tif 000002
【実用新案登録請求の範囲】
【請求項１】
一組のトランプカードに一年間の週めくりカレンダーを表示したことを特徴とする、トランプ形カレンダー。
【請求項２】
請求項１に記載のトランプ形カレンダーにおいて、更に、
前記トランプカードの裏面を広告媒体として使用する、トランプ形カレンダー。
【請求項３】
請求項１〜２のいずれか一項に記載のトランプ形カレンダーにおいて、更に、
前記トランプカードを小判の形状とし、裏面に小判の図柄が表示されている、トランプ形カレンダー。
【請求項４】
請求項１〜３のいずれか一項に記載のトランプ形カレンダーにおいて、更に、
前記トランプカードを収納する収納容器を備え、
前記収納容器は、前面には開口が、後面には立て掛けスタンドが夫々形成され、
収納されたトランプカードのカレンダー表示を前記開口を通して見ることができ、前記立て掛けスタンドを利用して卓上カレンダーとして使用する、トランプ形カレンダー。
【請求項５】
請求項１〜４のいずれか一項に記載のトランプ形カレンダーにおいて、更に、
前記週めくりカレンダーの表示の一部のエリアを書き込み可能とし、携帯可能なスケジュール手帳として使用する、トランプ形カレンダー。
【請求項６】
請求項１〜５のいずれか一項に記載のトランプ形カレンダーにおいて、更に、
一年間の週めくりカレンダーは、部分的に交換可能な加除式カレンダーである、トランプ形カレンダー。
【考案の詳細な説明】
【技術分野】
【０００１】
本考案は、トランプ形カレンダーに関する。
【背景技術】
【０００２】
従来から、カード遊びに使用されるトランプが存在する。一方、従来から、いわゆる暦とも称されるカレンダーが存在する。
【考案の開示】
【考案が解決しようとする課題】
【０００３】
しかし、これらトランプとカレンダーとの属性を利用した、両者の組み合わせに関する提案は、現在までのところなされていない。
【課題を解決するための手段】
【０００４】
本考案者は、一組のトランプと週単位で見た一年間との間に一定の関連性があることを発見し、この発見に基づき本考案を完成した。
【０００５】
そこで、本考案は、新規なトランプ形カレンダーを提供することを目的とする。
【０００６】
上記目的に鑑みて、本考案に係るトランプ形カレンダーは、一組のトランプカードに一年間の週めくりカレンダーを表示している。
【０００７】
更に、上記本考案では、更に、前記トランプカードの裏面を広告媒体として使用することも出来る。
【０００８】
更に、上記本考案では、更に、前記トランプカードを小判の形状とし、裏面に小判の図柄が表示されているようにすることも出来る。
【０００９】
更に、上記本考案では、更に、前記トランプカードを収納する収納容器を備え、前記収納容器は、前面には開口が、後面には立て掛けスタンドが夫々形成され、収納されたトランプカードのカレンダー表示を前記開口を通して見ることができ、前記立て掛けスタンドを利用して卓上カレンダーとして使用することも出来る。
【００１０】
更に、上記本考案では、更に、前記週めくりカレンダーの表示の一部のエリアを書き込み可能とし、携帯可能なスケジュール手帳として使用することもできる。
【００１１】
更に、上記本考案では、更に、一年間の週めくりカレンダーは、部分的に交換可能な加除式カレンダーとすることも出来る。
【考案の効果】
【００１２】
本考案によれば、新規なトランプ形カレンダーを提供することができる。
【考案を実施するための最良の形態】
【００１３】
以下、本考案に係るトランプ形カレンダーの実施形態に関して、添付の図面を参照しながら詳細に説明する。
【００１４】
［トランプ形カレンダー］
（第１実施形態）
第１実施形態に係るトランプ形カレンダーは、一年間の週めくり又は週単位カレンダー（以下、本出願書類では単に「週めくりカレンダー」という。）を構成する。本考案者は、一組のトランプカードと週単位の一年間との間に一定の関連性があることを見出した。具体的には、一組のトランプカードは、ハート、ダイヤ、クラブ、スペードの各13枚ずつ4組とジョーカー1枚又は予備を含めた2枚の合計53又は54枚のカードからなる。一方、一年間は365日であり、週単位にすると53週弱となる。
【００１５】
そこで、この52〜54枚のトランプカードを使って一年間の週めくりカレンダーを作成する。好ましくは、更に、表紙用に1枚、12ヶ月を表示した1年分カレンダーに1枚を使用してもよい。
【００１６】
図１は、週めくりカレンダーの一例であり、4枚のトランプカードを示している。ここで、図１（Ａ）はダイヤのJackであり、図１（Ｂ）はハートの２であり、図１（Ｃ）はスペードのQueenであり、そして図１（Ｄ）はクラブの８である。いずれのカードも、左上及び右下の数字とマークを残し、内側に数字分だけ表示されるマーク又は（Ｊ，Ｑ，Ｋの場合は）絵の部分を消して、この部分に週めくりカレンダーを表示する。表示内容は、具体的には、曜日及びこれに対応する日の表示である。なお、実物では、通常のトランプ及びカレンダーのように、「ダイヤとＪ」、「ハートと２」、「日曜日」、「祝日」等は赤色で印刷され、「土曜日」は例えば青色で印刷されている。他の図面においても同様である。
【００１７】
例えば、左上に示す図１(Ａ)に示すカードは、ダイヤのＪ（ジャック）のトランプカードであり、且つ、５月２０日（月）〜２６日(日)を表示する週めくりカレンダーでもある。図に示すように、「５月」，「皐月」，「先勝」等の歴注の六輝及び「平成二十年」を所望の箇所へ表示してもよい。他の図１（Ｂ），（Ｃ）及び（Ｄ）に示すトランプカードも同様である。
【００１８】
図２（Ａ）は、12ヶ月を表示した1年分カレンダーの例であり、図２（Ｂ）及び（Ｃ）は、表紙用の例である。本考案者は、この週めくりカレンダー機能付きのトランプカードのネーミングを「とらかれ」として、商願平2007-60758「とらかれ（標準文字）」及び商願平2007-66220「とらかれ（ロゴ）」として商標登録出願済みである。
【００１９】
（第２実施形態）
第２の実施形態に係るトランプ形カレンダーは、広告媒体として利用することを特徴とする。図２（Ｂ）に示すように、一組のトランプカードの一枚に、商品名、社名、連絡先等を表示して広告媒体として利用する。或いは、一組のトランプカードの全ての裏面を広告媒体として利用してもよい。
【００２０】
トランプカードを広告媒体として利用することにより、第２の実施形態に係るトランプカードは、拡販品（ノベルティ）としての用途をもつことが出来る。
【００２１】
この拡販品は、表示されたカレンダーの時期が経過して用済みとなったとしても、トランプとしては使用可能なため、利用者はその後も保管して遊ぶことが期待される。その結果、この拡販品は、広告媒体として長期間、広告宣伝機能を発揮する。
【００２２】
（第３実施形態）
第３の実施形態に係るトランプ形カレンダーは、形状を小判型としたことを特徴とする。例えば、図３（Ａ）に示すように、一組のトランプカードの全ての裏面に小判の図柄を表示する。この場合、トランプカードの外形形状は、通常のトランプカードと比較して、その四隅に丸みをもたせた小判型とする。普通の形状のトランプカードと比較して使用した結果、小判型トランプカードは、収納容器に収納し、そこから取り出す際に、非常にスムーズに出来ることが判明した。
【００２３】
（第４実施形態）
第４の実施形態に係るトランプ形カレンダーは、卓上カレンダーを構成する。
【００２４】
トランプカードを容器に収納した状態で、収納容器を立てることができ、卓上カレンダーとして機能する。例えば、図３（Ｂ）の収納容器の展開図に示すように、収納容器を組み立てると、全面側にはほぼ十字型の開口が形成されており、収納された週めくりカレンダーを、開口を通して見ることが出来る。図１に示した各トランプカードを、図３（Ｂ）に示した収納容器に当てはめて見ると分かるように、開口を十字形状にすることにより、トランプカードの左上及び右下のカードの種類及び数字は隠れて、カレンダーに関する表示のみが開口を通して見えるようになっている。収納容器を組み立てると、後面側には立て掛けスタンドが形成されている。こうして、第４の実施形態に係るトランプカードは、卓上カレンダーとしても機能する。
【００２５】
（第５実施形態）
第５の実施形態に係るトランプ形カレンダーは、スケジュール管理の手帳を構成する。図示していないが、カレンダー表示の近傍に、手書き可能なエリアを形成することにより、スケジュール管理の手帳として機能する。この場合、手書き可能なエリアは光沢の表面処理をせず、容易にペン又は鉛筆で書き込めるようにすることが好ましい。これにより、第４の実施形態に係るトランプカードは、携帯可能なスケジュール管理の手帳としても機能する。
【００２６】
（第６実施形態）
第６の実施形態に係るトランプ形カレンダーは、加除式カレンダーを構成する。例えば、利用者の郵便又はメール等による登録を待って、カレンダーとして時期が経過したカード部分に関して、逐次追加することにより、加除式カレンダーとすることも出来る。
【００２７】
概説的に説明すると、例えば、１年の最初の1/4（即ち、1〜3月）をスペードのカードに表示し、次の1/4（即ち、4〜6月）をダイヤのカードに表示し、次の1/4（即ち、7〜9月）をクラブのカードに表示し、最後の1/4（即ち、10〜12月）をハートのカードに表示したとする。この場合、半年経過した時点で、今年のカレンダーを表示したスペードとダイヤのカードを除去し、翌年のカレンダーを表示したカードと交換する。半年に限らず、3ヶ月経過した時点で、今年のカレンダーを表示したスペードカードを除去し、翌年のカレンダーを表示したカードと交換してもよい。このような削除と追加を繰り返すことにより、加除式カレンダーとして永続的に使用できる。
【００２８】
追加のカードは、具体的には、除去するカードと同じトランプカードに対し、月曜日〜土曜日に対応する「日にち」をずらして印刷することにより作成される。従って、このトランプ形カレンダーを最初に製造する際に製造番号を付しておき、利用者から追加分の受注を受けた時にその製造番号を確認することで、製造時のカード表裏の印刷データを有効に利用することが出来る。
【００２９】
トランプカードの裏面を広告媒体として使用している場合、加除式カレンダーとすることにより、永続的に広告宣伝機能を発揮する。
【００３０】
（第７実施形態）
勿論、このトランプ形カレンダーは、本来のトランプとしても使用することができる。
【００３１】
［その他］
以上、本考案に係るトランプ形カレンダーの第１〜７の実施形態に関して説明したが、これらは例示であって、本考案はこれらに限定されない。本考案は、これらの実施形態に対して当業者が容易になしえる追加・削除・変更・改良等を含むものである。
【００３２】
本考案の技術的範囲は、添付の実用新案登録請求の範囲の記載に基づいて定められる。
【図面の簡単な説明】
【００３３】
【図１】図１は、週めくりカレンダーの一例であり、4枚のトランプカードを示している。ここで、図１（Ａ）はダイヤのJackであり、図１（Ｂ）はハートの２であり、図１（Ｃ）はスペードのQueenであり、そして図１（Ｄ）はクラブの８である。
【図２】図２は、週めくりカレンダー以外のカードの例であり、ここで、図２（Ａ）は12ヶ月を表示した1年分カレンダーの例であり、図２（Ｂ）及び（Ｃ）は表紙用の例である。
【図３】図３は、トランプ形カレンダーの形状を小判型としたこと例を示す図であり、ここで、図３（Ａ）は一組のトランプカードの全ての裏面に小判を表示した例であり、図３（Ｂ）はその収納容器の展開図を示す図である。
【図１】
0003138025.tif 000003
【図２】
0003138025.tif 000004
【図３】
0003138025.tif 000005
【手続補正書】
【提出日】平成19年9月20日(2007.9.20)
【手続補正１】
【補正対象書類名】図面
【補正対象項目名】図２
【補正方法】変更
【補正の内容】
【図２】
0003138025.tif 000006